(57)【要約】【課題】パンチングメタルと調光装置を介して間接光を採光可能としたパネルにおいて、枠体を分解することなく調光装置を着脱可能とした縦型ルーバーのパネルを提供する。【解決手段】形材で構成した枠体６ａ，６ｂ，７ａ，７ｂの表裏両面にパンチングメタル１８ａ，１８ｃを取着し、パンチングメタルの間に外光の一部を透過可能とした調光装置２４ａを設け、枠体を構成する縦枠６ａ，６ｂの一方には調光装置を出し入れ可能とする開口部Ｐを設け、縦枠６ｂには開口部を封止する封止形材１５，１０を着脱可能に取着した。【選択図】図５
2010031510.tif 000002
【特許請求の範囲】
【請求項１】
形材で構成した枠体の表裏両面にパンチングメタルを取着し、前記パンチングメタルの間に外光の一部を透過可能とした調光装置を設け、前記枠体を構成する縦枠の一方には前記調光装置を出し入れ可能とする開口部を設け、前記縦枠には前記開口部を封止する封止形材を着脱可能に取着したことを特徴とする縦型ルーバーのパネル。
【請求項２】
前記調光装置は、光を一部透過可能としたスクリーンとしたことを特徴とする請求項１記載の縦型ルーバーのパネル。
【請求項３】
前記調光装置は、スラットの角度を調節可能とした横型ブラインドとしたことを特徴とする請求項１記載の縦型ルーバーのパネル。
【請求項４】
前記封止形材は、前記縦枠に取着されて前記開口部を封止する板状の連結枠と、前記連結枠に取着されて該連結枠を覆う装飾枠とを備えたことを特徴とする請求項１乃至３のいずれか１項に縦型ルーバーのパネル。
【請求項５】
前記スクリーンの上縁部と下縁部に袋状部を設け、該袋状部に保持棒を挿通し、前記枠体を構成する上枠と下枠には前記保持棒を保持可能とした係止部を備えたことを特徴とする請求項２又は４に記載の縦型ルーバーのパネル。
【請求項６】
請求項１乃至５のいずれか１項に記載のパネルをハンガーレール内のランナーから回動可能に吊下支持したことを特徴とする縦型ルーバー。
【請求項７】
形材で構成した縦枠および横枠からなる枠体の表裏両面に透光性板材を取着し、前記透光性板材の間にスクリーンを吊下げ、前記枠体を構成する左右の縦枠のうち少なくとも一方の縦枠を分割して前後方向に開口部を隔てて横枠に固定し、前記開口部は前記スクリーンを出し入れ可能とする幅を備え、前記縦枠には前記開口部を封止する封止形材を着脱可能に取着したことを特徴とする縦型ルーバーのパネル。
【請求項８】
前記横枠に前後方向に３本の係止溝を設け、中央の係止溝で前記スクリーンを保持し、前後両側の係止溝で前記透光性板材を保持したことを特徴とする請求項７記載の縦型ルーバーのパネル。
【発明の詳細な説明】
【技術分野】
【０００１】
この発明は、複数枚のパネルをハンガーレールに沿って移動可能にかつ回転可能に支持した大型の縦型ルーバーに関するものである。
【背景技術】
【０００２】
縦型ルーバーは、ハンガーレール内を移動する複数のランナーからそれぞれパネルを吊下支持し、ハンガーレール内で各ランナーを移動させて各パネルをハンガーレールに沿って移動可能であり、あるいは各ランナーの吊下軸を回動支点として各パネルを回動可能である。
【０００３】
そして、各パネルをハンガーレールに沿って引き出し、各パネルの回動角度を調整することにより、採光量を適宜調節可能となっている。
全高が数ｍに及ぶ大型のパネルを使用した縦型ルーバーでは、パネルの剛性を確保するために、縦枠と横枠とを組み立てて四角枠状の枠体を構成し、その枠体に表面材が取着されている。また、各パネルの表面材として金属板等の遮光性を備えた表面材を使用した場合には、パネルの角度を調節することによってのみ採光量を調節可能である。
【特許文献１】特開２００７−２４２２公報
【特許文献２】特許第３８９６１２号公報
【特許文献３】実開昭５１−１０７０１１号公報
【特許文献４】実用新案登録第３１３０４３５号公報
【発明の開示】
【発明が解決しようとする課題】
【０００４】
上記のような従来の縦型ルーバーでは、各パネルの角度を調節することにより採光量を調節可能であるが、主に直接光の光量を調節する構成である。従って、柔らかな間接光で採光量を調節することができないという問題点がある。
【０００５】
特許文献１には、有孔パネル板の間に脱臭機能体を配置した脱臭装置を備えたパネルシステムが開示されているが、間接光を取り入れ可能としたパネルは開示されていない。
特許文献２には、枠部材に柔軟なシート材あるいは硬質の板材を取替え自在に取着したスクリーンパネルが開示されているが、全高が数ｍに及ぶ大型のパネルを構成するにはパネルの剛性が不足する。
【０００６】
特許文献３には、中空の本体に開孔を設け、本体内には吸音材を充填した吸音体が開示されているが、間接光を採光可能としたルーバーは開示されていない。
特許文献４には、透孔を備えた前面パネルと、小透孔を備えた背面パネルをパネル枠に取着したパネル装置が開示されているが、間接光を採光可能としたルーバーとしての機能は開示されていない。
【０００７】
この発明の目的は、パンチングメタルと調光装置を介して間接光を採光可能としたパネルにおいて、枠体を分解することなく調光装置を着脱可能とした縦型ルーバーのパネルを提供することにある。
【課題を解決するための手段】
【０００８】
請求項１では、形材で構成した枠体の表裏両面にパンチングメタルを取着し、前記パンチングメタルの間に外光の一部を透過可能とした調光装置を設け、前記枠体を構成する縦枠の一方には前記調光装置を出し入れ可能とする開口部を設け、前記縦枠には前記開口部を封止する封止形材を着脱可能に取着した。
【０００９】
請求項２では、前記調光装置は、光を一部透過可能としたスクリーンとした。
請求項３では、前記調光装置は、スラットの角度を調節可能とした横型ブラインドとした。
【００１０】
請求項４では、前記封止部材は、前記縦枠に取着されて前記開口部を封止する板状の連結枠と、前記連結枠に取着されて該連結枠を覆う装飾枠とを備えた。
請求項５では、前記スクリーンの上縁部と下縁部に袋状部を設け、該袋状部に保持棒を挿通し、前記枠体を構成する上枠と下枠には前記保持棒を保持可能とした係止部を備えた。
【００１１】
請求項６では、請求項１乃至５のいずれか1項に記載のパネルをハンガーレール内のランナーから回動可能に吊下支持した。
請求項７では、形材で構成した縦枠および横枠からなる枠体の表裏両面に透光性板材を取着し、前記透光性板材の間にスクリーンを吊下げ、前記枠体を構成する左右の縦枠のうち少なくとも一方の縦枠を分割して前後方向に開口部を隔てて横枠に固定し、前記開口部は前記スクリーンを出し入れ可能とする幅を備え、前記縦枠には前記開口部を封止する封止形材を着脱可能に取着した。
【００１２】
請求項８では、前記横枠に前後方向に３本の係止溝を設け、中央の係止溝で前記スクリーンを保持し、前後両側の係止溝で前記透光性板材を保持した。
【発明の効果】
【００１３】
本発明によれば、パンチングメタルと調光装置を介して間接光を採光可能としたパネルにおいて、枠体を分解することなく調光装置を着脱可能とした縦型ルーバーのパネルを提供することができる。
【発明を実施するための最良の形態】
【００１４】
（第一の実施形態）
以下、この発明を具体化した第一の実施形態を図面に従って説明する。図１（ａ）（ｂ）に示す縦型ルーバーは、ハンガーレール１内を移動可能に支持された複数の上部ランナー２にそれぞれパネル３が回動可能に吊下支持されている。前記パネル３の下端には下部ランナー４が取着され、その下部ランナー４が下部レール５内を移動可能に支持されている。
【００１５】
前記各上部ランナー２には前記ハンガーレール１の全長に亘って配設される移送軸及びチルト軸（ともに図示しない）が挿通され、その移送軸及びチルト軸はハンガーレールの両端に回転可能に支持されるとともにモータで回転駆動される。そして、移送軸が回転されると各上部ランナー２がハンガーレール１に沿って移送され、チルト軸が回転されると各上部ランナー２の吊下軸を回動中心として各パネル３が回動される。
【００１６】
前記各パネル３の具体的構成を図２〜図５に従って説明する。図２に示すように、前記パネル３は縦枠６ａ，６ｂの上端部及び下端部が横枠となる上枠７ａ及び下枠７ｂで連結されて、枠体が構成されている。また、縦枠６ａ，６ｂの上下方向中間部は横枠となる補助枠８で連結されている。
【００１７】
図３に示すように、前記縦枠６ａは断面略四角筒状の主枠９と装飾枠１０とで構成される。前記装飾枠１０は、前記主枠９の全長に亘って同主枠９の外側面を曲面で覆うようにした形材で構成され、装飾枠１０の幅方向中央部に設けた溝部１１内において上下方向に複数個所で前記主枠９に螺入される取付ビス１２で主枠９に固定されている。
【００１８】
なお、前記縦枠６ａは装飾枠１０の取り付けに先立って主枠９の上下両端部から前記上枠７ａ、下枠７ｂ及び補助枠８のリブ１３（図４参照）に螺入される取付ビスで前記上枠７ａ、下枠７ｂ及び補助枠８に固定される。
【００１９】
前記縦枠６ｂは、略四角筒状の一対の主枠１４ａ，１４ｂと、その主枠１４ａ，１４ｂを連結する連結枠１５と、その連結枠１５に取着される装飾枠１０とで構成される。前記主枠１４ａ，１４ｂは、その上下両端部及び中間部で前記上枠７ａ、下枠７ｂ及び補助枠８のリブ１３に取付ビスで固定される。
【００２０】
前記連結枠（封止形材）１５は前記主枠１４ａ，１４ｂ間の開口部Ｐを封止する板状の形材で構成され、取付ビス１６で各主枠１４ａ，１４ｂに固定され、主枠１４ａ，１４ｂの全長に亘って開口部を封止するようになっている。
【００２１】
前記連結枠１５に取着される装飾枠１０は、溝部１１から前記連結枠１５に螺入される取付ビス１７で連結枠１５に固定されている。
前記縦枠６ａ，６ｂ間において、前記パネル３の表裏両面には金属板に多数のパンチング孔１９を形成したパンチングメタル（透光性板材）１８ａ〜１８ｄが取着されている。
【００２２】
すなわち、図３に示すように、パンチングメタル１８ａの左右方向の端部は、縦枠６ａの主枠９及び縦枠６ｂの主枠１４ａにそれぞれ形成された係止溝２０に支持される。また、パンチングメタル１８ａの上下両端部は、図４に示すように、前記上枠７ａ及び補助枠８に形成される係止溝２１に支持される。
【００２３】
前記パンチングメタル１８ｂの左右方向の端部は、縦枠６ａの主枠９及び縦枠６ｂの主枠１４ｂにそれぞれ形成された係止溝２０に支持される。また、パンチングメタル１８ｂの上下両端部は、図４に示すように、前記上枠７ａ及び補助枠８に形成される係止溝２１に支持される。
【００２４】
前記パンチングメタル１８ｃの左右方向の端部は、縦枠６ａの主枠９及び縦枠６ｂの主枠１４ａにそれぞれ形成された係止溝に支持される。また、パンチングメタル１８ｃの上下両端部は、図４に示すように、前記下枠７ｂ及び補助枠８に形成される係止溝２２に支持される。
【００２５】
前記パンチングメタル１８ｄの左右方向の端部は、縦枠６ａの主枠９及び縦枠６ｂの主枠１４ｂにそれぞれ形成された係止溝に支持される。また、パンチングメタル１８ｄの上下両端部は、図４に示すように、前記下枠７ｂ及び補助枠８に形成される係止溝に支持される。
【００２６】
前記パンチングメタル１８ａ，１８ｂは、縦枠６ａ，６ｂの上端への上枠７ａの取り付けに先立って主枠９と主枠１４ａ，１４ｂの係止溝２０間に挿入され、その後主枠９，１４ａ，１４ｂに上枠７ａが取着されて、パンチングメタル１８ａ，１８ｂが主枠９，１４ａ，１４ｂ、上枠７ａ、補助枠８間に支持される。
【００２７】
また、前記パンチングメタル１８ｃ，１８ｄは、縦枠６ａ，６ｂの下端への下枠７ｂの取り付けに先立って主枠９と主枠１４ａ，１４ｂの係止溝２２間に挿入され、その後主枠９，１４ａ，１４ｂに下枠７ｂが取着されて、パンチングメタル１８ｃ，１８ｄが主枠９，１４ａ，１４ｂ、下枠７ｂ、補助枠８間に支持される。
【００２８】
なお、パンチングメタル１８ａ〜１８ｄが挿入された係止溝２０〜２２には、合成樹脂の封止部材（図示しない）が充填されて、各パンチングメタル１８ａ〜１８ｄは端縁部が係止溝２０〜２２に固定される。
【００２９】
前記パネル３には、前記パンチングメタル１８ａ，１８ｂ間と、前記パンチングメタル１８ｃ，１８ｄ間にスクリーン２４ａ，２４ｂが張設されている。このスクリーン２４ａ，２４ｂは、織り目から外光の一部を透過可能とした布地で形成される。
【００３０】
図４に示すように、各スクリーン２４ａ，２４ｂの上下両端部には袋状部２５が形成され、その袋状部２５に保持棒２６が挿通されている。前記上枠７ａの下面と前記補助枠８の上面には、前記保持棒２６を挿通したスクリーン２４ａの上下両端部を挿入可能とした係止部（係止溝）２７ａ，２７ｂが対向して形成されている。
【００３１】
そして、袋状部２５に保持棒２６を挿通し、その保持棒２６を側方から係止部２７ａ，２７ｂに挿通すると、係止部２７ａ，２７ｂ間にスクリーン２４ａが支持される。
また、前記補助枠８の下面と前記下枠７ｂの上面には、前記保持棒２６を挿通したスクリーン２４ｂの上下両端部を挿入可能とした係止部２８ａ，２８ｂが対向して形成されている。
【００３２】
そして、スクリーン２４ｂの袋状部２５に保持棒２６を挿通し、その保持棒２６を側方から係止部２８ａ，２８ｂに挿通すると、係止部２８ａ，２８ｂ間にスクリーン２４ｂが支持される。
【００３３】
このようなスクリーン２４ａをパネル３に取り付けるには、図５に示すように、縦枠６ｂの主枠１４ａ，１４ｂから装飾枠１０と連結枠１５を取り外した状態で、スクリーン２４ａを主枠１４ａ，１４ｂ間の開口部Ｐからパンチングメタル１８ａ，１８ｂ間に挿通し、保持棒２６を係止部２７ａ，２７ｂに挿通する。すると、スクリーン２４ａがパンチングメタル１８ａ，１８ｂ間に保持される。
【００３４】
スクリーン２４ａをパネル３から取り外すには、縦枠６ｂの主枠１４ａ，１４ｂから装飾枠１０と連結枠１５を取り外した状態で、スクリーン２４ａの保持棒２６を係止部２７ａ，２７ｂから抜き出すと、スクリーン２４ａがパネル３から取り外される。
【００３５】
また、スクリーン２４ｂもスクリーン２４ａと同様に、主枠１４ａ，１４ｂから装飾枠１０と連結枠１５を取り外して、パネル３に着脱可能である。
上記のように構成された縦型ルーバーでは、次に示す作用効果を得ることができる。
（１）パネル３をハンガーレール１に沿って引き出し、ハンガーレール１に沿う方向に回動させると、室内にはパネル３の表裏両面のパンチングメタル１８ａ〜１８ｄのパンチング孔１９とスクリーン２４ａ，２４ｂを介して柔らかな光を採り入れることができる。
（２）パンチングメタル１８ａ，１８ｂの間にスクリーン２４ａを介在させ、パンチングメタル１８ｃ，１８ｄの間にスクリーン２４ｂを介在させたので、２枚のパンチングメタルのみを介して外光を採り入れる場合に発生する干渉縞の発生を防止することができる。
（３）パンチングメタル１８ａ〜１８ｄ及びスクリーン２４ａ，２４ｂを介して、室内から屋外の様子を視認することができる。
（４）パネル３の表面はパンチングメタル１８ａ〜１８ｄで構成されるので、パネル３の全高が高くなっても、パネル３の表面を平坦面とすることができる。
（５）縦枠６ｂの装飾枠１０及び連結枠１５を取り外すことにより、主枠１４ａ，１４ｂ間の開口部Ｐからパンチングメタル１８ａ〜１８ｄ間にスクリーン２４ａ，２４ｂを挿入して取着することができる。従って、パネル３を分解することなく、スクリーン２４ａ，２４ｂの取り外し及び取付作業を行うことができる。
（６）パネル３をハンガーレール１に吊下げた状態でも、装飾枠１０及び連結枠１５を取り外して、スクリーン２４ａ，２４ｂの取り外しあるいは取付を行うことができる。従って、スクリーン２４ａ，２４ｂの交換を容易に行うことができる。
（７）上枠７ａ、下枠７ｂ及び補助枠８に設けた係止溝２１，２２でパンチングメタル１８ａ，１８ｂを保持し、係止溝２１，２２間に設けた係止溝状の係止部２７ａ，２７ｂ，２８ａ，２８ｂでスクリーン２４ａ，２４ｂを保持することができる。
（第二の実施形態）
図６〜図９は、第二の実施形態を示す。この実施の形態は、第一の実施形態と同様な縦型ルーバーの各パネルに、前記スクリーンに代えて横型ブラインドを配設したものである。
【００３６】
パネル２９の縦枠６ａ，６ｂ及び上枠７ａ、下枠７ｂは前記第一の実施形態と同様な構成である。そして、第一の実施形態と同様に、パネル２９の表裏両面において、縦枠６ａ，６ｂ及び上枠７ａ、下枠７ｂ間にパンチングメタル１８ａ，１８ｂが取着されている。
【００３７】
前記パンチングメタル１８ａ，１８ｂ間には、横型ブラインド３０が配設されている。この横型ブラインド３０は、図８に示すように、上枠７ａに取着された支持ブラケット３７に横型ブラインド３０のヘッドボックス３１の両端部が支持され、そのヘッドボックス３１からラダーコード３２を介して多数段のスラット３３が吊下支持されている。
【００３８】
前記ラダーコード３２の下端にはボトムレール３４が吊下支持されている。そして、前記各スラット３３の両端部にはワイヤー３５が挿通され、そのワイヤー３５の上端部は前記ヘッドボックス３１に取着され、下端は前記ボトムレール３４に取着されて、前記スラット３３の長さ方向のずれが阻止されるようになっている。
【００３９】
前記縦枠６ｂの室内側の側面の下部には操作つまみ３６が設けられ、縦枠６ｂ内には操作つまみ３６の回転を前記ヘッドボックス３１内の角度調節軸に伝達する伝達ケーブル（図示しない）が配設されている。そして、操作つまみ３６の回転操作により角度調節軸を回転させて、ラダーコード３２を介して各スラット３３を同位相で角度調節可能となっている。なお、伝達ケーブルは横型ブラインド３０をパネル２９から取り外すとき、前記操作つまみ３６から取り外し可能となっている。
【００４０】
前記横型ブラインド３０は、第一の実施形態のスクリーン２４ａ，２４ｂと同様にパネル２９から取り外し可能である。
縦枠６ｂの主枠１４ａ，１４ｂから装飾枠１０及び連結枠１５を取り外し、図９に示すように、縦枠６ｂ側の支持ブラケット３７を開放してヘッドボックス３１を支持ブラケット３７から取り外すと、主枠１４ａ，１４ｂ間の間隙から横型ブラインド３０を取り出すことができる。
【００４１】
また、横型ブラインド３０をパネル２９に取り付けるには、主枠１４ａ，１４ｂ間の間隙からパンチングメタル１８ａ，１８ｂ間に横型ブラインド３０を挿入し、支持ブラケット３７でヘッドボックス３１を固定する。
【００４２】
そして、連結枠１５及び装飾枠１０を縦枠６ｂに取着すると、横型ブラインド３０の取付が完了する。
このように構成された縦型ルーバーでは、次に示す作用効果を得ることができる。
（１）パネル２９のパンチングメタル１８ａ，１８ｂ間に配設された横型ブラインド３０のスラット３３の角度を調節することにより、パンチングメタル１８ａ，１８ｂ及び横型ブラインド３０を介して外光を採り入れることができる。
（２）横型ブラインド３０のスラット３３の角度を調節することにより、パンチングメタル１８ａ〜１８ｄのパンチング孔１９と各スラット３３を介して柔らかな光を採り入れることができる。
（３）パンチングメタル１８ｃ，１８ｄの間に横型ブラインド３０を介在させたので、２枚のパンチングメタルのみを介して外光を採り入れる場合に発生する干渉縞の発生を防止することができる。
（４）パンチングメタル１８ａ〜１８ｄ及びスラット３３間の隙間を介して、室内から屋外の様子を視認することができる。
（５）パネル２９の表面はパンチングメタル１８ａ〜１８ｄで構成されるので、パネル２９の全高が高くなっても、パネル２９の表面を平坦面とすることができる。
（６）縦枠６ｂの装飾枠１０及び連結枠１５を取り外すことにより、パンチングメタル１８ａ〜１８ｄ間に横型ブラインド３０を取着することができる。従って、パネル２９を分解することなく、横型ブラインド３０の取り外し及び取付作業を行うことができる。
（７）パネル２９をハンガーレール１に吊下げた状態でも、装飾枠１０及び連結枠１５を取り外して、横型ブラインド３０の取り外しあるいは取付を行うことができる。従って、横型ブラインド３０の交換あるいはメンテナンスを容易に行うことができる。
【００４３】
上記実施の形態は、以下の態様で実施してもよい。
・ハンガーレールにパネルを回動可能にのみ吊下支持した縦型ルーバーに上記パネル３，２９を使用してもよい。
・スクリーン２４ａ，２４ｂの材質は、布地以外の材質としてもよい。
・パンチングメタルに代えて、透光性板材として透明ガラス、ポリカーボネート樹脂等の板材を使用してもよい。
【図面の簡単な説明】
【００４４】
【図１】（ａ）（ｂ）は縦型ルーバーを示す正面図である。
【図２】縦型ルーバーのパネルを示す斜視図である。
【図３】パネルを示す横断面図である。
【図４】パネルを示す縦断面図である。
【図５】スクリーンの取付操作を示す斜視図である。
【図６】第二の実施形態のパネルを示す正面図である。
【図７】第二の実施形態のパネルを示す平面図である。
【図８】第二の実施形態のパネルを示す縦断面図である。
【図９】ヘッドボックスの取付操作を示す側面図である。
【符号の説明】
【００４５】
１…ハンガーレール、２…上部ランナー、３，２９…パネル、６ａ，６ｂ…枠体（縦枠）、７ａ…枠体（横枠、上枠）、７ｂ…枠体（横枠、下枠）、８…横枠（補助枠）、９，１４ａ，１４ｂ…主枠、１０…装飾枠、１５…封止形材（連結枠）、１８ａ，１８ｂ，１８ｃ，１８ｄ…透光性板材（パンチングメタル）、２４ａ，２４ｂ…調光装置（スクリーン）、３０…調光装置（横型ブラインド）。
【図１】
2010031510.tif 000003
【図２】
2010031510.tif 000004
【図３】
2010031510.tif 000005
【図４】
2010031510.tif 000006
【図５】
2010031510.tif 000007
【図６】
2010031510.tif 000008
【図７】
2010031510.tif 000009
【図８】
2010031510.tif 000010
【図９】
2010031510.tif 000011